(57)【要約】【課題】伝搬品質の変動に関わらず適切な無線リソースの割り当てが可能な移動通信における受付制御方法を提供する。【解決手段】基地局は、移動局が所要通信レートを通知すると、使用無線リソースピーク量Ａを観測し、この使用無線リソースピーク量Ａに所定の比率αを乗じた値Ａ×αを算出する。次に基地局は、全無線リソース量からＡ×αを差し引いて割当可能な無線リソース量Ｂを算出し、この割当可能な無線リソース量Ｂに基づいて、移動局と基地局との間の伝搬品質が最も低い場合における受付可能な通信レートを算出する。更に基地局は、新規アプリケーションに対応する所要通信レートが受付可能通信レート以下である場合には、当該新規アプリケーションに対応するサービス要求を受け付ける。【選択図】        図１１
2004172907.tif 000002
【特許請求の範囲】
【請求項１】
移動局におけるサービス品質を保証する保証型サービスと、サービス品質を保証しない非保証型サービスとを提供する移動通信システムにて、移動局から受付制御装置に対するサービス要求を受け付ける受付制御方法において、
前記移動局は、
前記保証型サービスの要求に際し、生起される新規のアプリケーションが必要とするサービス品質を前記受付制御装置へ通知し、
前記受付制御装置は、
伝搬品質が最も低い場合に受付可能なサービス品質を算出し、
前記新規のアプリケーションが必要とするサービス品質が、前記伝搬品質が最も低い場合に受付可能なサービス品質以下である場合に、前記新規のアプリケーションに対応するサービス要求を受け付けることを特徴とする受付制御方法。
【請求項２】
請求項１に記載の受付制御方法において、
前記受付制御装置は、
割り当て可能な無線リソース量を算出し、
前記割り当て可能な無線リソース量に基づいて、前記伝搬品質が最も低い場合に受付可能なサービス品質を算出することを特徴とする受付制御方法。
【請求項３】
請求項２に記載の受付制御方法において、
前記受付制御装置は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする受付制御方法。
【請求項４】
請求項２に記載の受付制御方法において、
前記受付制御装置は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする受付制御方法。
【請求項５】
請求項１乃至４の何れかに記載の受付制御方法において、
前記受付制御装置は、
前記新規のアプリケーションが必要とするサービス品質が、前記伝搬品質が最も低い場合に受付可能なサービス品質より大きい場合に、該受付可能なサービス品質を前記移動局へ通知し、
前記移動局は、
前記新規のアプリケーションが必要とする最小のサービス品質が前記受付可能なサービス品質以下である場合に、前記新規のアプリケーションが必要とするサービス品質を前記受付制御装置が受付可能なサービス品質に変更し、
前記新規のアプリケーションが必要とする最小のサービス品質が、前記受付制御装置が受付可能なサービス品質より大きい場合に、要求するサービスを前記保証型サービスから前記非保証型サービスに変更することを特徴とする受付制御方法。
【請求項６】
請求項１乃至５の何れかに記載の受付制御方法において、
前記受付制御装置は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする受付制御方法。
【請求項７】
請求項１乃至６の何れかに記載の受付制御方法において、
前記受付制御装置は、前記保証型サービスに対応するアプリケーションに対し、前記非保証型サービスに対応するアプリケーションに優先して無線リソースを割り当てることを特徴とする受付制御方法。
【請求項８】
移動局と、該移動局からのサービス要求を受け付ける受付制御装置とを有し、前記移動局におけるサービス品質を保証する保証型サービスと、サービス品質を保証しない非保証型サービスとを提供する移動通信システムにおいて、
前記移動局は、
前記保証型サービスの要求に際し、生起される新規のアプリケーションが必要とするサービス品質を前記受付制御装置へ通知するサービス品質通知手段を備え、
前記受付制御装置は、
伝搬品質が最も低い場合に受付可能なサービス品質を算出する受付可能サービス品質算出手段と、
前記新規のアプリケーションが必要とするサービス品質が、前記伝搬品質が最も低い場合に受付可能なサービス品質以下である場合に、前記新規のアプリケーションに対応するサービス要求を受け付けるサービス受付手段と、
を備えることを特徴とする移動通信システム。
【請求項９】
請求項８に記載の移動通信システムにおいて、
前記サービス品質算出手段は、割り当て可能な無線リソース量を算出し、該割り当て可能な無線リソース量に基づいて、前記伝搬品質が最も低い場合に受付可能なサービス品質を算出することを特徴とする移動通信システム。
【請求項１０】
請求項９に記載の移動通信システムにおいて、
前記受付制御装置は、前記保証型サービスを受けている他のアプリケーションに割り当てられた無線リソースのうち実際に使用されている無線リソース量を観測する使用無線リソース量観測手段を備え、
前記サービス品質算出手段は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする移動通信システム。
【請求項１１】
請求項９に記載の移動通信システムにおいて、
前記サービス品質算出手段は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする移動通信システム。
【請求項１２】
請求項８乃至１１の何れかに記載の移動通信システムにおいて、
前記サービス受付手段は、前記新規のアプリケーションが必要とするサービス品質が、前記伝搬品質が最も低い場合に受付可能なサービス品質より大きい場合に、該受付可能なサービス品質を前記移動局へ通知し、
前記移動局は、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する要求サービス変更手段を備えることを特徴とする移動通信システム。
【請求項１３】
請求項８乃至１２の何れかに記載の移動通信システムにおいて、
前記サービス受付手段は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする移動通信システム。
【請求項１４】
請求項８乃至１３の何れかに記載の移動通信システムにおいて、
前記サービス受付手段は、前記保証型サービスに対応するアプリケーションに対し、前記非保証型サービスに対応するアプリケーションに優先して無線リソースを割り当てることを特徴とする移動通信システム。
【請求項１５】
サービス品質を保証する保証型サービスと、サービス品質を保証しない非保証型サービスとを受付制御装置へ要求する移動局において、
前記保証型サービスの要求に際し、生起される新規のアプリケーションが必要とするサービス品質を前記受付制御装置へ通知するサービス品質通知手段と、
前記受付制御装置によって該受付制御装置が受付可能なサービス品質が通知される場合、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する要求サービス変更手段と、
を備えることを特徴とする移動局。
【請求項１６】
移動局からのサービス品質を保証する保証型サービスの要求と、サービス品質を保証しない非保証型サービスの要求とを受け付ける受付制御装置において、
伝搬品質が最も低い場合に受付可能なサービス品質を算出する受付可能サービス品質算出手段と、
前記移動局において生起される新規のアプリケーションが必要とするサービス品質が、前記伝搬品質が最も低い場合に受付可能なサービス品質以下である場合に、前記新規のアプリケーションに対応するサービス要求を受け付けるサービス受付手段と、
を備えることを特徴とする受付制御装置。
【請求項１７】
請求項１６に記載の通信制御装置において、
前記サービス品質算出手段は、割り当て可能な無線リソース量を算出し、該割り当て可能な無線リソース量に基づいて、前記伝搬品質が最も低い場合に受付可能なサービス品質を算出することを特徴とする通信制御装置。
【請求項１８】
請求項１７に記載の受付制御装置において、
前記保証型サービスを受けている他のアプリケーションに割り当てられた無線リソースのうち実際に使用されている無線リソース量を観測する使用無線リソース量観測手段を備え、
前記サービス品質算出手段は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする受付制御装置。
【請求項１９】
請求項１７に記載の受付制御装置において、
前記サービス品質算出手段は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする受付制御装置。
【請求項２０】
請求項１６乃至１９の何れかに記載の受付制御装置において、
前記サービス受付手段は、前記新規のアプリケーションが必要とするサービス品質が、前記伝搬品質が最も低い場合に受付可能なサービス品質より大きい場合に、該受付可能なサービス品質を前記移動局へ通知することを特徴とする受付制御装置。
【請求項２１】
請求項１６乃至２０の何れかに記載の受付制御装置において、
前記サービス受付手段は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする受付制御装置。
【請求項２２】
請求項１６乃至２１の何れかに記載の受付制御装置において、
前記サービス受付手段は、前記保証型サービスに対応するアプリケーションに対し、前記非保証型サービスに対応するアプリケーションに優先して無線リソースを割り当てることを特徴とする受付制御装置。
【請求項２３】
サービス品質を保証する保証型サービスと、サービス品質を保証しない非保証型サービスとを受付制御装置へ要求する移動局を動作させる受付制御用プログラムにおいて、
前記保証型サービスの要求に際し、生起される新規のアプリケーションが必要とするサービス品質を前記受付制御装置へ通知する手順と、
前記受付制御装置によって該受付制御装置が受付可能なサービス品質が通知される場合、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する手順と、
を実行させるための受付制御用プログラム。
【請求項２４】
移動局からのサービス品質を保証する保証型サービスの要求と、サービス品質を保証しない非保証型サービスの要求とを受け付ける受付制御装置を動作させる受付制御用プログラムにおいて、
伝搬品質が最も低い場合に受付可能なサービス品質を算出する手順と、
前記移動局において生起される新規のアプリケーションが必要とするサービス品質が、前記伝搬品質が最も低い場合に受付可能なサービス品質以下である場合に、前記新規のアプリケーションに対応するサービス要求を受け付ける手順と、
を実行させるための受付制御用プログラム。
【請求項２５】
請求項２４に記載の受付制御用プログラムにおいて、
割り当て可能な無線リソース量を算出し、該割り当て可能な無線リソース量に基づいて、前記伝搬品質が最も低い場合に受付可能なサービス品質を算出する手順を実行させるための受付制御用プログラム。
【請求項２６】
請求項２５に記載の受付制御用プログラムにおいて、
提供可能な全無線リソース量から前記保証型サービスを受けている他のアプリケーションに割り当てられた無線リソースのうち実際に使用されている無線リソース量を差し引いて前記割り当て可能な無線リソース量を算出する手順を実行させるための受付制御用プログラム。
【請求項２７】
請求項２５に記載の受付制御用プログラムにおいて、
提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出する手順を実行させるための受付制御用プログラム。
【請求項２８】
請求項２４乃至２７の何れかに記載の受付制御用プログラムにおいて、
前記新規のアプリケーションが必要とするサービス品質が、前記伝搬品質が最も低い場合に受付可能なサービス品質より大きい場合に、該受付可能なサービス品質を前記移動局へ通知する手順と、
を実行させるための受付制御用プログラム。
【請求項２９】
請求項２４乃至２８の何れかに記載の受付制御用プログラムにおいて、
前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付ける手順を実行させるための受付制御用プログラム。
【請求項３０】
請求項２４乃至２９の何れかに記載の受付制御用プログラムにおいて、
前記保証型サービスに対応するアプリケーションに対し、前記非保証型サービスに対応するアプリケーションに優先して無線リソースを割り当てる手順を実行させるための受付制御用プログラム。
【発明の詳細な説明】
【０００１】
【発明の属する技術分野】
本発明は、移動局におけるサービス品質を保証する保証型サービスと、サービス品質を保証しない非保証型サービスとを提供する移動通信システムにて、移動局から受付制御装置に対するサービス要求を受け付ける受付制御方法に関する。
【０００２】
【従来の技術】
従来の回線交換型のサービスでは、受付制御装置としての各基地局は、移動局からのサービス要求を受け付ける際、自局が構成するセルにおいて割り当て可能な無線リソースとしてのチャネル（例えば、キャリア、タイムスロット、コード）の数に基づいて受付可能であるか否かを判断し、割り当て可能なチャネル数が所定数以上の場合に、サービス要求を受け付ける制御を行っていた（例えば、非特許文献１参照）。
【０００３】
また、従来のＡＴＭ（Ａｓｙｎｃｈｒｏｎｏｕｓ  Ｔｒａｎｓｆｅｒ  Ｍｏｄｅ）のサービスでは、ＡＴＭ交換機等の受付制御装置は、通信装置からのサービス要求を受け付ける際、ＡＴＭセルの伝送路であるパスの空き容量や、ＡＴＭセルを蓄積するバッファの空き容量に基づいて受付可能であるか否かを判断し、これらパスやバッファの空き容量が所定以上である場合に、サービス要求を受け付ける制御を行っていた（例えば、非特許文献２参照）。
【０００４】
【非特許文献１】
笹岡秀一著、「移動通信」、オーム社、１９９８年５月２５日、ｐ．１３８−１４７
【非特許文献２】
Ｄａｖｉｄ  Ｅ．ＭｃＤｙｓａｎ  ＆  Ｄａｒｒｅｎ  Ｌ．Ｓｐｏｈｎ著、村岡正幸訳、「ＡＴＭネットワーク」、科学技術出版、１９９７年９月１０日、ｐ．４０６−４０７
【０００５】
【発明が解決しようとする課題】
従来の回線交換型のサービスにおいてパケット通信が行われる場合、チャネルを共用する音声やデータに要求される品質や、パケットの発生パターンは様々であり、サービス要求を受け付けた後の通信における品質が変動する。しかしながら、上述したような割り当て可能なチャネル数のみに基づいてサービス要求を受け付けるか否かを判断する方法は、伝搬品質の変動を考慮しておらず、移動通信システムのように伝搬品質が変動する環境下における受付制御方法としては、必ずしも十分な方法ではない。
【０００６】
また、従来のＡＴＭサービスでは、サービス要求を受け付けた後の通信によって占有されるパスやバッファの容量は一定である。このため、干渉の変動や移動局の移動により基地局が構成する１つのセルにおける通信レートが大きく変動する移動通信システムには適用することが困難である。
【０００７】
本発明は、上記問題点を解決するものであり、その目的は、伝搬品質の変動に関わらず適切な無線リソースの割り当てが可能な移動通信における受付制御方法を提供することにある。
【０００８】
【課題を解決するための手段】
上記の目的を達成するため、本発明は請求項１に記載されるように、移動局におけるサービス品質を保証する保証型サービスと、サービス品質を保証しない非保証型サービスとを提供する移動通信システムにて、移動局から受付制御装置に対するサービス要求を受け付ける受付制御方法において、前記移動局は、前記保証型サービスの要求に際し、生起される新規のアプリケーションが必要とするサービス品質を前記受付制御装置へ通知し、前記受付制御装置は、伝搬品質が最も低い場合に受付可能なサービス品質を算出し、前記新規のアプリケーションが必要とするサービス品質が、前記伝搬品質が最も低い場合に受付可能なサービス品質以下である場合に、前記新規のアプリケーションに対応するサービス要求を受け付けることを特徴とする。
【０００９】
このような受付制御方法では、受付制御装置は、移動局との間の伝搬品質が最も低い場合、例えば移動局が基地局によって構成されるセルの外縁部に存在する場合を想定して受付可能なサービス品質を算出し、移動局において生起される新規のアプリケーションが必要とするサービス品質が、この受付可能なサービス品質以下である場合に、新規のアプリケーションに対応するサービス要求を受け付ける。このため、伝搬品質が低下した場合においても、移動局は通信の維持が可能になる。即ち、伝搬品質の変動に関わらず適切な無線リソースの割り当てが可能となる。
【００１０】
また、本発明は請求項２に記載されるように、請求項１に記載の受付制御方法において、前記受付制御装置は、割り当て可能な無線リソース量を算出し、前記割り当て可能な無線リソース量に基づいて、前記伝搬品質が最も低い場合に受付可能なサービス品質を算出することを特徴とする。
【００１１】
また、本発明は請求項３に記載されるように、請求項２に記載の受付制御方法において、前記受付制御装置は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする。
【００１２】
移動局が通信を開始した後において、例えば伝送データ量が少ないような場合には、割り当てられたにもかかわらず、使用されない無線リソースが存在する可能性がある。このような場合には、受付制御装置は、提供可能な全無線リソース量から実際に使用されている無線リソース量を差し引いて割り当て可能な無線リソース量を算出することにより、他のアプリケーションに割り当てられた無線リソースのうち使用されていない無線リソースについては、新規のアプリケーションに対して割り当て可能な無線リソースとして扱うことで、無線リソースの効率的な使用が可能となる。
【００１３】
また、本発明は請求項４に記載されるように、請求項２に記載の受付制御方法において、前記受付制御装置は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする。
【００１４】
保証型サービスを受けている他のアプリケーションが使用する可能性がある無線リソース量の最大値は、伝搬品質が最も低い場合に応じて割り当てられた無線リソース量である。従って、提供可能な全無線リソース量から、他のアプリケーションが生起される移動局との間の伝搬品質が最も低い場合に応じて割り当てられた無線リソース量を差し引いた値は、新規のアプリケーションが確実に使用することができる無線リソース量である。このため、上述した方法により、新規のアプリケーションへ確実に割り当てることが可能な無線リソース量を算出することができる。
【００１５】
また、本発明は請求項５に記載されるように、請求項１乃至４の何れかに記載の受付制御方法において、前記受付制御装置は、前記新規のアプリケーションが必要とするサービス品質が、前記伝搬品質が最も低い場合に受付可能なサービス品質より大きい場合に、該受付可能なサービス品質を前記移動局へ通知し、前記移動局は、前記新規のアプリケーションが必要とする最小のサービス品質が前記受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更することを特徴とする。
【００１６】
この場合には、受付制御装置は、新規のアプリケーションが必要とするサービス品質が受付可能なサービス品質より大きい場合に、その受付可能なサービス品質を移動局へ通知することにより、移動局がサービス品質やサービスを適切に変更して通信を行うことが可能となる。
【００１７】
また、本発明は請求項６に記載されるように、請求項１乃至５の何れかに記載の受付制御方法において、前記受付制御装置は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする。
【００１８】
この場合には、新規のアプリケーションが必要とするサービス品質が所定の幅を有する場合にも、受付制御装置は、適切にサービスの要求を受け付けることが可能となる。
【００１９】
また、本発明は請求項７に記載されるように、請求項１乃至６の何れかに記載の受付制御方法において、前記受付制御装置は、前記保証型サービスに対応するアプリケーションに対し、前記非保証型サービスに対応するアプリケーションに優先して無線リソースを割り当てることを特徴とする。
【００２０】
この場合には、受付制御装置は、できるだけ多くの保証型サービスを提供することが可能となる。
【００２１】
また、本発明は請求項８に記載されるように、移動局と、該移動局からのサービス要求を受け付ける受付制御装置とを有し、前記移動局におけるサービス品質を保証する保証型サービスと、サービス品質を保証しない非保証型サービスとを提供する移動通信システムにおいて、前記移動局は、前記保証型サービスの要求に際し、生起される新規のアプリケーションが必要とするサービス品質を前記受付制御装置へ通知するサービス品質通知手段を備え、前記受付制御装置は、伝搬品質が最も低い場合に受付可能なサービス品質を算出する受付可能サービス品質算出手段と、前記新規のアプリケーションが必要とするサービス品質が、前記伝搬品質が最も低い場合に受付可能なサービス品質以下である場合に、前記新規のアプリケーションに対応するサービス要求を受け付けるサービス受付手段とを備えることを特徴とする。
【００２２】
また、本発明は請求項９に記載されるように、請求項８に記載の移動通信システムにおいて、前記サービス品質算出手段は、割り当て可能な無線リソース量を算出し、該割り当て可能な無線リソース量に基づいて、前記伝搬品質が最も低い場合に受付可能なサービス品質を算出することを特徴とする。
【００２３】
また、本発明は請求項１０に記載されるように、請求項９に記載の移動通信システムにおいて、前記受付制御装置は、前記保証型サービスを受けている他のアプリケーションに割り当てられた無線リソースのうち実際に使用されている無線リソース量を観測する使用無線リソース量観測手段を備え、前記サービス品質算出手段は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする。
【００２４】
また、本発明は請求項１１に記載されるように、請求項９に記載の移動通信システムにおいて、前記サービス品質算出手段は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする。
【００２５】
また、本発明は請求項１２に記載されるように、請求項８乃至１１の何れかに記載の移動通信システムにおいて、前記サービス受付手段は、前記新規のアプリケーションが必要とするサービス品質が、前記伝搬品質が最も低い場合に受付可能なサービス品質より大きい場合に、該受付可能なサービス品質を前記移動局へ通知し、前記移動局は、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する要求サービス変更手段を備えることを特徴とする。
【００２６】
また、本発明は請求項１３に記載されるように、請求項８乃至１２の何れかに記載の移動通信システムにおいて、前記サービス受付手段は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする。
【００２７】
また、本発明は請求項１４に記載されるように、請求項８乃至１３の何れかに記載の移動通信システムにおいて、前記サービス受付手段は、前記保証型サービスに対応するアプリケーションに対し、前記非保証型サービスに対応するアプリケーションに優先して無線リソースを割り当てることを特徴とする。
【００２８】
また、本発明は請求項１５に記載されるように、サービス品質を保証する保証型サービスと、サービス品質を保証しない非保証型サービスとを受付制御装置へ要求する移動局において、前記保証型サービスの要求に際し、生起される新規のアプリケーションが必要とするサービス品質を前記受付制御装置へ通知するサービス品質通知手段と、前記受付制御装置によって該受付制御装置が受付可能なサービス品質が通知される場合、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する要求サービス変更手段とを備えることを特徴とする。
【００２９】
また、本発明は請求項１６に記載されるように、移動局からのサービス品質を保証する保証型サービスの要求と、サービス品質を保証しない非保証型サービスの要求とを受け付ける受付制御装置において、伝搬品質が最も低い場合に受付可能なサービス品質を算出する受付可能サービス品質算出手段と、前記移動局において生起される新規のアプリケーションが必要とするサービス品質が、伝搬品質が最も低い場合に受付可能なサービス品質以下である場合に、前記新規のアプリケーションに対応するサービス要求を受け付けるサービス受付手段とを備えることを特徴とする。
【００３０】
また、本発明は請求項１７に記載されるように、請求項１６に記載の通信制御装置において、前記サービス品質算出手段は、割り当て可能な無線リソース量を算出し、該割り当て可能な無線リソース量に基づいて、前記伝搬品質が最も低い場合に受付可能なサービス品質を算出することを特徴とする。
【００３１】
また、本発明は請求項１８に記載されるように、請求項１７に記載の受付制御装置において、前記保証型サービスを受けている他のアプリケーションに割り当てられた無線リソースのうち実際に使用されている無線リソース量を観測する使用無線リソース量観測手段を備え、前記サービス品質算出手段は、提供可能な全無線リソース量から前記保証型サービスを受けている他のアプリケーションに割り当てられた無線リソースのうち実際に使用されている無線リソース量を差し引いて前記割り当て可能な無線リソース量を算出することを特徴とする。
【００３２】
また、本発明は請求項１９に記載されるように、請求項１７に記載の受付制御装置において、前記サービス品質算出手段は、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出することを特徴とする。
【００３３】
また、本発明は請求項２０に記載されるように、請求項１６乃至１９の何れかに記載の受付制御装置において、前記サービス受付手段は、前記新規のアプリケーションが必要とするサービス品質が、前記伝搬品質が最も低い場合に受付可能なサービス品質より大きい場合に、該受付可能なサービス品質を前記移動局へ通知することを特徴とする。
【００３４】
また、本発明は請求項２１に記載されるように、請求項１６乃至２０の何れかに記載の受付制御装置において、前記サービス受付手段は、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付けることを特徴とする。
【００３５】
また、本発明は請求項２２に記載されるように、請求項１６乃至２１の何れかに記載の受付制御装置において、前記サービス受付手段は、前記保証型サービスに対応するアプリケーションに対し、前記非保証型サービスに対応するアプリケーションに優先して無線リソースを割り当てることを特徴とする。
【００３６】
また、本発明は請求項２３に記載されるように、サービス品質を保証する保証型サービスと、サービス品質を保証しない非保証型サービスとを受付制御装置へ要求する移動局を動作させる受付制御用プログラムにおいて、前記保証型サービスの要求に際し、生起される新規のアプリケーションが必要とするサービス品質を前記受付制御装置へ通知する手順と、前記受付制御装置によって該受付制御装置が受付可能なサービス品質が通知される場合、前記新規のアプリケーションが必要とする最小のサービス品質が、前記受付制御装置が受付可能なサービス品質以下である場合に、前記新規のアプリケーションが必要とするサービス品質を前記受付制御装置が受付可能なサービス品質に変更し、前記新規のアプリケーションが必要とする最小のサービス品質が、前記受付制御装置が受付可能なサービス品質より大きい場合に、要求するサービスを前記保証型サービスから前記非保証型サービスに変更する手順とを実行させるものである。
【００３７】
また、本発明は請求項２４に記載されるように、移動局からのサービス品質を保証する保証型サービスの要求と、サービス品質を保証しない非保証型サービスの要求とを受け付ける受付制御装置を動作させる受付制御用プログラムにおいて、伝搬品質が最も低い場合に受付可能なサービス品質を算出する手順と、前記新規のアプリケーションが必要とするサービス品質が、前記伝搬品質が最も低い場合に受付可能なサービス品質以下である場合に、前記新規のアプリケーションに対応するサービス要求を受け付ける手順とを実行させるものである。
【００３８】
また、本発明は請求項２５に記載されるように、請求項２４に記載の受付制御用プログラムにおいて、割り当て可能な無線リソース量を算出し、該割り当て可能な無線リソース量に基づいて、前記伝搬品質が最も低い場合に受付可能なサービス品質を算出する手順を実行させるものである。
【００３９】
また、本発明は請求項２６に記載されるように、請求項２５に記載の受付制御用プログラムにおいて、提供可能な全無線リソース量から前記保証型サービスを受けている他のアプリケーションに割り当てられた無線リソースのうち実際に使用されている無線リソース量を差し引いて前記割り当て可能な無線リソース量を算出する手順を実行させるものである。
【００４０】
また、本発明は請求項２７に記載されるように、請求項２５に記載の受付制御用プログラムにおいて、提供可能な全無線リソース量から、前記保証型サービスを受けている他のアプリケーションに対して前記伝搬品質が最も低い場合に応じて割り当てられた無線リソース量を差し引いて前記割り当て可能な無線リソース量を算出する手順を実行させるものである。
【００４１】
また、本発明は請求項２８に記載されるように、請求項２４乃至２７の何れかに記載の受付制御用プログラムにおいて、前記新規のアプリケーションが必要とするサービス品質が、前記伝搬品質が最も低い場合に受付可能なサービス品質より大きい場合に、該受付可能なサービス品質を前記移動局へ通知する手順とを実行させるものである。
【００４２】
また、本発明は請求項２９に記載されるように、請求項２４乃至２８の何れかに記載の受付制御用プログラムにおいて、前記移動局から前記新規のアプリケーションが必要とする所定範囲のサービス品質が通知される場合、前記新規のアプリケーションが必要とする所定範囲のサービス品質に、前記伝搬品質が最も低い場合に受付可能なサービス品質が含まれている場合に、前記新規のアプリケーションに対応するサービス要求を受け付ける手順を実行させるものである。
【００４３】
また、本発明は請求項３０に記載されるように、請求項２４乃至２８の何れかに記載の受付制御用プログラムにおいて、前記保証型サービスに対応するアプリケーションに対し、前記非保証型サービスに対応するアプリケーションに優先して無線リソースを割り当てる手順を実行させるものである。
【００４４】
【発明の実施の形態】
以下、本発明の実施の形態を図面に基づいて説明する。
【００４５】
図１は、本発明の実施の形態に係る移動通信システムについて通信プロトコルの観点から見た第１の概念図である。同図に示す移動通信システム１００は、移動局１０と、受付制御装置として移動局１０に対し、サービス品質を保証する保証型サービスと、サービス品質を保証しない非保証型サービスとを提供する基地局２０と、移動局１０の通信相手である対向ホスト３０とにより構成される。図１は、対向ホスト３０から移動局１０へデータが伝送される場合、即ち、下り方向のデータ伝送における概念図である。
【００４６】
移動局１０における通信プロトコルは、下位層から順に、物理層（ＰＨＹ層）、媒体アクセス制御層（ＭＡＣ層）、ＩＰ＋ＭＭ層、ＴＣＰ／ＵＤＰ層、アプリケーション層（ＡＰＰ層）により構成される。基地局２０における通信プロトコルは、移動局１０側が下位層から順に、ＰＨＹ層、ＭＡＣ層及び無線リソース制御層（ＲＲＣ層）により構成され、対向ホスト３０側が下位層から順に、ＰＨＹ層、ＭＡＣ層、ＩＰ層、ＴＣＰ／ＵＤＰ層、アプリケーション層（ＩＡＰＰ層）により構成される。更に、対向ホスト３０における通信プロトコルは、下位層から順に、ＰＨＹ層、ＭＡＣ層、ＩＰ＋ＭＭ層、ＴＣＰ／ＵＤＰ層、アプリケーション層（ＡＰＰ層）により構成される。
【００４７】
下り方向のデータ伝送に際し、対向ホスト３０のＡＰＰ層は、移動局１０のＡＰＰ層に対して接続要求を送信する。この接続要求を受信した移動局１０のＡＰＰ層は、データ伝送に際し、自身が新たに生起するアプリケーション（以下、「新規アプリケーション」と称する）の種別に応じて、基地局２０へ要求するサービスを、サービス品質（ＱｏＳ）としての通信レートを保証する保証型サービス（以下、「定量保証サービス」と称する）及びサービス品質としての通信レートを保証しない非保証型サービス（以下、「相対保証サービス」と称する）の何れかに決める。
【００４８】
移動局１０のＡＰＰ層は、定量保証サービスを要求する場合、制御チャネルを用いて、基地局２０のＲＲＣ層に対し、定量保証サービスに対応する新規アプリケーションが必要とする通信レート（以下、「所要通信レート」と称する）を含んだ受付要求メッセージを送信する。図２は、受付要求メッセージのフォーマットを示す図である。同図に示す受付要求メッセージは、２０ビットのフローラベルと、５ビットの定量保証サービスにおける所要通信レートの情報により構成される。なお、移動局１０のＡＰＰ層は、相対保証サービスを要求する場合には、この受付要求メッセージを送信しない。
【００４９】
また、移動局１０のＡＰＰ層は、受付要求メッセージに、１つの所要通信レートのみを含めても良く、最大及び最小の所要通信レートの双方を含めても良い。更に、移動局１０のＡＰＰ層は、受付要求メッセージに、最大及び最小の所要通信レートの双方を含める代わりに、これら最大及び最小の所要通信レートの組み合わせを識別する情報（以下、「ＱｏＳ要求ビット」と称する）を含めても良い。
【００５０】
図３は、ＱｏＳ要求ビットと最大及び最小の所要通信レートの組み合わせとの対応の一例を示す図である。例えば、最大の所要通信レートが１２８ｋｂｐｓであり、最小の所要通信レートが３２ｋｂｐｓである場合、同図の例においては、ＱｏＳ要求ビットは「０００１１」となる。なお、ＱｏＳ要求ビット「１１１１１」は、移動局１０が定量保証サービスの解除を基地局２０へ要求する場合に用いられる。
【００５１】
定量保証サービスは、移動局１０が基地局２０によって構成されるセル内のどこに在圏しても、移動局１０が要求する所要通信レートで通信が行われなければならない。このため、基地局２０は、干渉の変動や移動局１０の移動を考慮してサービスの受付制御を行う必要がある。具体的には、基地局２０は、以下のようなサービスの受付制御を行う。
【００５２】
即ち、基地局２０のＲＲＣ層は、新規アプリケーション以外の定量保証サービスに対応するアプリケーション（以下、「他の定量保証サービスに対応するアプリケーション」と称する）に割り当てられた下り方向のデータ伝送用の無線リソースのうち、実際に使用されている無線リソース量を観測する。ここで他の定量保証サービスに対応するアプリケーションとは、移動局１０において生起されるアプリケーションのうち、新規アプリケーション以外の定量保証サービスに対応するアプリケーションと、移動局１０以外の移動局において生起されている、定量保証サービスに対応するアプリケーションとの双方を示す。
【００５３】
他の定量保証サービスに対応するアプリケーションが実際に使用している無線リソース量は、当該他の定量保証サービスに対応するアプリケーションが生起されている移動局と基地局２０との間の伝搬品質に応じて変化する。基地局２０のＲＲＣ層は、以下の手順により、他の定量保証サービスに対応するアプリケーションが実際に使用している無線リソース量を認識する。
【００５４】
具体的には、移動局１０又は他の移動局のＡＰＰ層は、下り方向のデータ伝送時において、基地局２０との間の伝搬品質を示す情報を基地局２０のＲＲＣ層へ送信する。移動通信システム１００が３．５世代の移動通信方式であるＨＳＤＰＡ（Ｈｉｇｈ  Ｓｐｅｅｄ  Ｄｏｗｎｌｉｎｋ  Ｐａｃｋｅｔ  Ａｃｃｅｓｓ  ）を採用する場合、伝搬品質を示す情報はＣＱＩである。ここでは、ＣＱＩは、伝搬品質が良好であるほど値が大きくなる。なお、ＣＱＩは、伝搬品質が良好であるほど値が小さくなるものであっても良い。
【００５５】
基地局２０のＲＲＣ層は、このＣＱＩに基づいて、他の定量保証サービスに対応するアプリケーションが実際に使用している無線リソース量を認識する。図４は、ＣＱＩ、変調方式及び通信レートの対応関係を示すマッピングテーブルの一例を示す図である。同図に示すマッピングテーブルは、ＣＱＩと、当該ＣＱＩに対応する伝搬品質（ここでは信号対雑音比（ＳＩＮＲ）、他にビットエラー率（ＢＥＲ）、フレームエラー率（ＦＥＲ）でも良い）と、当該ＣＱＩに対応して採用されるべき変調・コーディング方式（ＭＣＳ）と、当該変調・コーディング方式が採用される場合における総伝送レートと、フレーム毎に１スロット使用される場合の伝送レート、１スロットで伝送可能なデータ量（ＴＢＳ／ｓｌｏｔ）とによって構成される。なお、図４は、無線リソースは、フレーム構成が採用されており、１フレームが１０スロットにより構成され、１スロットの占有時間が０．５ｍｓである場合を示す。
【００５６】
例えば、４Ｍｂｐｓの通信レートで通信を行っている他の定量保証サービスに対応するアプリケーションが生起されている移動局１０又は他の移動局が、基地局２０に対してＣＱＩ「２」を送信してきた場合を考える。この場合、基地局２０のＲＲＣ層は、図４のマッピングテーブルに基づいて、ＣＱＩ「２」の場合に他の定量保証サービスに対応するアプリケーションとの通信において採用されるべき変調・コーディング方式（ＭＣＳ）がＱＰＳＫ３／４であることを認識する。また、基地局２０のＲＲＣ層は、ＱＰＳＫ３／４が採用される場合における無線リソース１フレームあたりの伝送レートが３４Ｍｂｐｓであり、フレームを構成する１スロットあたりの伝送レートが３．４Ｍｂｐｓであることを認識する。更に、基地局２０のＲＲＣ層は、この認識結果に基づいて、他の定量保証サービスに対応するアプリケーションにおける４Ｍｂｐｓの通信レートを満足するために、当該他の定量保証サービスに対応するアプリケーションが実際に伝送レートが３．４Ｍｂｐｓであるスロットを２つ使用していることを認識する。基地局２０のＲＲＣ層は、このような手順により、全ての他の定量保証サービスに対応するアプリケーションが実際に使用している無線リソース量を、所定期間観測し、その所定期間内において全ての他の定量保証サービスに対応するアプリケーションが実際に使用している無線リソース量の最大値（以下、「使用無線リソースピーク量」と称する）を認識する。
【００５７】
次に、基地局２０のＲＲＣ層は、全無線リソース量から使用無線リソースピーク量を差し引くことにより、新規アプリケーションに対して割当可能な無線リソース量を算出する。例えば、全無線リソースである１フレームが１０スロットにより構成され、そのうち４スロットが使用無線リソースピーク量である場合を考える。この場合、基地局２０のＲＲＣ層は、１０スロットから４スロットを差し引いた６スロットを、新規アプリケーションに対して割当可能な無線リソース量として算出する。なお、上述したように、使用無線リソースピーク量は、所定期間内において全ての他の定量保証サービスに対応するアプリケーションが実際に使用している無線リソース量の最大値である。従って、新規アプリケーションに対して割当可能な無線リソースには、相対保証サービスに対応するアプリケーションが実際に使用している無線リソースが含まれる。
【００５８】
ところで、使用無線リソースピーク量は、上述したように、所定期間内において全ての他の定量保証サービスに対応するアプリケーションが実際に使用している無線リソース量の最大値であり、常にその１つの無線リソースが使用されているわけではない。基地局２０のＲＲＣ層は、このことを考慮し、新規アプリケーションに対して割当可能な無線リソース量として算出する際に、使用無線リソースピーク量をそのまま用いずに、所定の比率α（０＜α≦１）を乗じたものを用いるようにしても良い。
【００５９】
また、基地局２０のＲＲＣ層は、他の定量保証サービスに対応するアプリケーションが実際に使用している無線リソース量を認識する代わりに、当該他の定量保証サービスに対応するアプリケーションが生起されている移動局１０又は他の移動局と基地局２０との間の伝搬品質が最も低い場合に応じて割り当てられた無線リソース量を認識し、全無線リソース量から、この認識した無線リソース量を差し引くことにより、新規アプリケーションに対して割当可能な無線リソース量を算出するようにしても良い。ここで、他の定量保証サービスに対応するアプリケーションが生起されている移動局１０と基地局２０との間の伝搬品質が最も低い場合に応じて割り当てられた無線リソース量は、当該他の定量保証サービスに対応するアプリケーションの通信において使用される可能性のある無線リソース量の最大値を示す。なお、新規アプリケーションに対して割当可能な無線リソースには、相対保証サービスに対応するアプリケーションに対して割り当てられた無線リソースが含まれる。また、基地局２０のＲＲＣ層は、移動局１０に対して割当可能な無線リソース量として算出する際に、他の定量保証サービスに対応するアプリケーションと基地局２０との間の伝搬品質が最も低い場合に応じて割り当てられた無線リソース量をそのまま用いずに、所定の比率β（０＜β≦１）を乗じたものを用いるようにしても良い。
【００６０】
受付要求メッセージを送信してきた移動局１０に対して割当可能な無線リソース量を算出した後、基地局２０のＲＲＣ層は、新規アプリケーションに対して割当可能な無線リソース量に基づいて、当該移動局１０と基地局２０との間の伝搬品質が最も低い場合に受付可能な通信レート（以下、「受付可能通信レート」と称する）を算出する。
【００６１】
具体的には、基地局２０のＲＲＣ層は、移動局１０と基地局２０との間の伝搬品質が最も低い場合における１つの無線リソースあたりの通信レートを認識し、この認識した通信レートに、移動局１０に対して割当可能な無線リソースの数を乗じることにより、受付可能通信レートを算出する。
【００６２】
例えば、図４のマッピングテーブルに基づけば、基地局２０のＲＲＣ層は、移動局１０と基地局２０との間の伝搬品質が最も低い場合に、当該移動局１０における通信において採用すべき変調・コーディング方式はＱＰＳＫ１／２であり、このＱＰＳＫ１／２に対応する１スロットあたりの伝送レートは２．２Ｍｂｐｓであることを認識する。更に、移動局１０に対して割当可能な無線リソース量が６スロットであると仮定すれば、基地局２０のＲＲＣ層は、２．２Ｍｂｐｓ×６＝１３．２Ｍｂｐｓを、受付可能通信レートとして算出する。
【００６３】
次に、基地局２０のＲＲＣ層は、受付可能通信レートと、所要通信レートとを比較する。そして、受付要求メッセージ内の所要通信レートが１つの所要通信レートのみであり、当該１つの所要通信レートが受付可能通信レート以下である場合には、基地局２０のＲＲＣ層は、新規アプリケーションに対応するサービス要求を受け付け、移動局１０のＡＰＰ層に対して、受付認容であることを示す受付制御結果を送信する。この際、基地局２０は、移動局１０と基地局２０との間の伝搬品質が最も低い場合でも所要通信レートで通信を行うことが可能な量の無線リソースを割り当てる。
【００６４】
例えば、図４のマッピングテーブルに基づけば、移動局１０と基地局２０との間の伝搬品質が最も低い場合に、１スロットあたりの伝送レートは２．２Ｍｂｐｓである。受付要求メッセージ内に１つの所要通信レートのみが含まれており、その値が４Ｍｂｐｓであると仮定すれば、基地局２０のＲＲＣ層は、新規アプリケーションに対応するサービス要求を受け付ける。そして、基地局２０は、移動局１０において４Ｍｂｐｓでの通信を可能とするために、２スロットを新規アプリケーションに割り当てる。
【００６５】
また、受付要求メッセージ内の所要通信レートが最大及び最小の所要通信レートであり、最大の所要通信レートが受付可能通信レート以下である場合には、基地局２０のＲＲＣ層は、新規アプリケーションに対応するサービス要求を受け付け、移動局１０のＡＰＰ層に対して、受付認容であることを示す受付制御結果を送信する。この際、基地局２０は、上述した手順と同様、移動局１０と基地局２０との間の伝搬品質が最も低い場合でも最大の所要通信レートで通信を行うことが可能な量の無線リソースを割り当てる。
【００６６】
一方、受付要求メッセージ内の所要通信レートが最大及び最小の所要通信レートであり、受付可能通信レートがこれら最大及び最小の所要通信レートの範囲内にある場合には、基地局２０のＲＲＣ層は、新規アプリケーションに対応するサービス要求を受け付け、移動局１０のＡＰＰ層に対して、受付認容であることを示す受付制御結果を送信する。この際、基地局２０は、移動局１０と基地局２０との間の伝搬品質が最も低い場合でも受付可能通信レートで通信を行うことが可能な量の無線リソースを割り当てる。
【００６７】
例えば、移動局１０と基地局２０との間の伝搬品質が最も低い場合に、１スロットあたりの伝送レートは２．２Ｍｂｐｓであり、受付可能通信レートが最大及び最小の所要通信レートの範囲内であり、その値が４Ｍｂｐｓであると仮定すれば、基地局２０は、移動局１０において４Ｍｂｐｓでの通信を可能とするために、２スロットを新規アプリケーションに割り当てる。
【００６８】
また、受付要求メッセージ内の所要通信レートが１つの所要通信レートのみであり、その１つの所要通信レートが受付可能通信レートより大きい場合には、基地局２０のＲＲＣ層は、サービスの受付を拒否し、移動局１０のＡＰＰ層に対して、受付拒否であることを示す受付制御結果とともに、受付可能通信レートを送信する。
【００６９】
また、受付要求メッセージ内の所要通信レートが最大及び最小の所要通信レートであり、最小の所要通信レートが受付可能通信レートより大きい場合には、基地局２０のＲＲＣ層は、サービスの受付を拒否し、移動局１０のＡＰＰ層に対して、その旨の受付制御結果を送信する。但し、基地局２０のＲＲＣ層は、サービスの受付を拒否した後も、例えば周期的に、受付可能通信レートを算出して、当該受付可能通信レートと所要通信レートとを比較する。そして、基地局２０のＲＲＣ層は、最大の所要通信レートが受付可能通信レート以下である場合には、新規アプリケーションに対応するサービス要求を受け付ける。また、基地局２０のＲＲＣ層は、受付可能通信レートが最大及び最小の所要通信レートの範囲内にある場合には、基地局２０のＲＲＣ層は、新規アプリケーションに対応するサービス要求を受け付ける。
【００７０】
受付制御結果を受信した移動局１０のＡＰＰ層は、所要通信レートの変更、定量保証サービスから相対保証サービスへの変更、あるいは、再度、定量保証サービスの要求を行う。
【００７１】
具体的には、移動局１０のＡＰＰ層は、受付制御結果とともに、受付可能通信レートが送られ、新規アプリケーションが必要とする最小の通信レートが受付可能通信レート以下である場合、所要通信レートを受付可能通信レートに変更し、受付可能通信レートを許諾する旨の応答を基地局２０のＲＲＣ層へ返す。基地局２０のＲＲＣ層は、この応答に応じて、新規アプリケーションに対応するサービス要求を受け付ける。あるいは、移動局１０のＡＰＰ層は、所要通信レートを、受信可能通信レート以下であり且つ新規アプリケーションが必要とする最小の通信レート以上の値に変更し、その変更後の値を基地局２０のＲＲＣ層へ返す。基地局２０のＲＲＣ層は、この応答に応じて、新規アプリケーションに対応するサービス要求を受け付ける。
【００７２】
一方、移動局１０のＡＰＰ層は、受付制御結果とともに、受付可能通信レートが送られ、新規アプリケーションが必要とする最小の通信レートが受付可能通信レートより大きい場合や、受付制御結果のみが送られてきた場合には、要求するサービスを定量保証サービスから相対保証サービスに変更したり、再度、定量保証サービスの要求を行う。
【００７３】
なお、移動局１０のＡＰＰ層は、通信中の任意の時点及びハンドオーバ後に基地局２０に対してサービスを要求したり、サービスの変更を行うことができる。
【００７４】
図５は、下り方向のデータ伝送における移動通信システムの動作の一例を示すシーケンス図である。対向ホスト３０から移動局１０へ下り接続要求が送信されると（ステップ１０１）、移動局１０は、基地局２０へ要求するサービスを、定量保証サービス及び相対保証サービスの何れかに決める。そして、移動局１０は、定量保証サービスを要求する場合には、基地局２０へ所要通信レートを送信する（ステップ１０２）。
【００７５】
所要通信レートを受信した基地局２０は、定量保証サービスの要求に対する受付制御を行い（ステップ１０３）、その受付制御の結果を移動局１０へ送信する（ステップ１０４）。この際、基地局２０は、受付を拒否する場合には、受付制御の結果とともに、受付可能通信レートを送信する。
【００７６】
移動局１０は、受付を拒否された場合、受信した受付可能通信レートに基づいて、所要通信レートの変更、あるいは、要求するサービスの相対保証サービスへの変更を行う（ステップ１０５）。移動局１０は、所要通信レートを変更した場合、新たな所要通信レートを基地局２０へ送信する（ステップ１０６）。
【００７７】
図６は、本発明の実施の形態に係る移動通信システムについて通信プロトコルの観点から見た第２の概念図である。図６は、移動局１０から対向ホスト３０へデータが伝送される場合、即ち、上り方向のデータ伝送における概念図である。また、移動局１０、基地局２０及び対向ホスト３０における通信プロトコルは図１の場合と同様の構成である。
【００７８】
移動局１０のＡＰＰ層は、上り方向のデータ伝送に際し、データ伝送に対応する新規アプリケーションの種別に応じて、基地局２０へ要求するサービスを、定量保証サービス及び相対保証サービスの何れかに決める。更に、移動局１０のＡＰＰ層は、定量保証サービスを要求する場合、制御チャネルを用いて、基地局２０のＲＲＣ層に対し、定量保証サービスに対応する新規アプリケーションが必要とする通信レート（所要通信レート）を含んだ受付要求メッセージを送信する。この際、移動局１０のＡＰＰ層は、下り方向のデータ伝送の場合と同様、受付要求メッセージに、１つの所要通信レートのみを含めても良く、最大及び最小の所要通信レートの双方を含めても良い。更に、移動局１０のＡＰＰ層は、受付要求メッセージに、最大及び最小の所要通信レートの双方を含める代わりに、これら最大及び最小の所要通信レートの組み合わせを識別する情報（ＱｏＳ要求ビット）を含めても良い。
【００７９】
基地局２０のＲＲＣ層は、他の定量保証サービスに対応するアプリケーションに割り当てられた上り方向のデータ伝送用の無線リソースのうち、実際に使用されている無線リソース量を観測する。具体的な方法は、上述した下り方向のデータ伝送の場合とほぼ同様である。但し、移動通信システム１００がＨＳＤＰＡを採用する場合、伝搬品質を示す情報であるＣＱＩは、基地局２０のＲＲＣ層自身が測定した伝搬品質に応じて設定する。
【００８０】
その後は、基地局２０のＲＲＣ層は、下り方向のデータ伝送の場合と同様の処理を行う。即ち、基地局２０のＲＲＣ層は、全無線リソース量から使用無線リソースピーク量を差し引くことにより、新規アプリケーションに対して割当可能な無線リソース量を算出する。あるいは、基地局２０のＲＲＣ層は、他の定量保証サービスに対応するアプリケーションが実際に使用している無線リソース量を認識する代わりに、当該他の定量保証サービスに対応するアプリケーションと基地局２０との間の伝搬品質が最も低い場合に応じて割り当てられた無線リソース量を認識し、全無線リソース量から、この認識した無線リソース量を差し引くことにより、新規アプリケーションに対して割当可能な無線リソース量を算出する。
【００８１】
更に、基地局２０のＲＲＣ層は、新規アプリケーションに対して割当可能な無線リソース量に基づいて、移動局１０と基地局２０との間の伝搬品質が最も低い場合に受付可能な通信レート（受付可能通信レート）を算出し、この受付可能通信レートと、所要通信レートとを比較する。そして、基地局２０のＲＲＣ層は、その比較結果に基づいて、新規アプリケーションに対応するサービス要求を受け付けるか否かを判定する。更に、基地局２０のＲＲＣ層は、新規アプリケーションに対応するサービス要求を受け付ける場合には、移動局１０のＡＰＰ層に対して、受付認容であることを示す受付制御結果を送信する。更に、基地局２０は、移動局１０と基地局２０との間の伝搬品質が最も低い場合でも所要通信レートあるいは受付可能通信レートで通信を行うことが可能な量の無線リソースを割り当てる。
【００８２】
また、基地局２０のＲＲＣ層は、新規アプリケーションに対応するサービス要求を受け付けない場合には、移動局１０のＡＰＰ層に対して、受付拒否であることを示す受付制御結果とともに、受付可能通信レートを送信する。
【００８３】
受付可能通信レートを受信した移動局１０のＡＰＰ層は、所要通信レートの変更、定量保証サービスから相対保証サービスへの変更、あるいは、再度、定量保証サービスの要求を行う。
【００８４】
図７は、上り方向のデータ伝送における移動通信システムの動作の一例を示すシーケンス図である。移動局１０は、基地局２０へ要求するサービスを、定量保証サービス及び相対保証サービスの何れかに決める。そして、移動局１０は、定量保証サービスを要求する場合には、基地局２０へ所要通信レートを送信する（ステップ２０１）。
【００８５】
所要通信レートを受信した基地局２０は、定量保証サービスの要求に対する受付制御を行い（ステップ２０２）、その受付制御の結果を移動局１０へ送信する（ステップ２０３）。この際、基地局２０は、受付を拒否する場合には、受付制御の結果とともに、受付可能通信レートを送信する。
【００８６】
移動局１０は、受付を拒否された場合、受信した受付可能通信レートに基づいて、所要通信レートの変更、あるいは、要求するサービスの相対保証サービスへの変更を行う（ステップ２０４）。移動局１０は、所要通信レートを変更した場合、新たな所要通信レートを基地局２０へ送信する（ステップ２０５）。
【００８７】
次に、移動局１０が１つの所要通信レートのみを基地局２０へ送信し、基地局２０が他の定量保証サービスに対応するアプリケーションが実際に使用している無線リソース量を割り当て可能な無線リソース量の算出に用いる第１実施例、移動局１０が最大及び最小の所要通信レートを基地局２０へ送信し、基地局２０が他の定量保証サービスに対応するアプリケーションが実際に使用している無線リソース量を観測する第２実施例、移動局１０が１つの所要通信レートのみを基地局２０へ送信し、基地局２０が他の定量保証サービスに対応するアプリケーションとの間の伝搬品質が最も低い場合に応じて割り当てられた無線リソース量を割り当て可能な無線リソース量の算出に用いる第３実施例、及び、移動局１０が最大及び最小の所要通信レートを基地局２０へ送信し、基地局２０が他の定量保証サービスに対応するアプリケーションとの間の伝搬品質が最も低い場合に応じて割り当てられた無線リソース量を割り当て可能な無線リソース量の算出に用いる第４実施例のぞれぞれについて説明する。
（第１実施例）
図８は、第１実施例における移動局及び基地局の構成例を示す図である。同図に示す移動局１０は、送信部１１、受信部１２、所要通信レート設定部１３、アプリケーション認識部１４及び変更判断部１５を備える。一方、基地局２０は、送信部２１、受信部２２、所要通信レート認識部２３、使用リソース量観測部２４、受付可能通信レート算出部２６及び受付判断部２７を備える。
【００８８】
下り方向のデータ伝送が行われる際、移動局１０内の受信部１２は、対向ホスト３０から送信される接続要求を受信すると、当該接続要求を所要通信レート設定部１３へ送る。アプリケーション認識部１４は、データ伝送に対応する新規アプリケーションの種別を認識し、その認識結果を所要レート設定部１３へ送る。
【００８９】
所要通信レート設定部１３は、下り方向のデータ伝送が行われる場合には受信部１２からの接続要求を受けた時、上り方向のデータ伝送が行われる場合には利用者の指示があった時等に、データ伝送に対応する新規アプリケーションの種別に応じて、基地局２０へ要求するサービスを、定量保証サービス及び非保証型サービスの何れかに決める。更に、所要通信レート設定部１３は、定量保証サービスを要求する場合、１つの所要通信レートを設定し、送信部１１へ送る。送信部１１は、制御チャネルを用いて、１つの所要通信レートを含んだ受付要求メッセージを基地局２０へ送信する。
【００９０】
基地局２０内の受信部２２は、移動局１０からの受付要求メッセージを受信し、所要通信レート認識部２３へ送る。所要通信レート認識部２３は、受付要求メッセージに含まれる１つの所要通信レートを認識し、その１つの所要通信レートを受付判断部２７へ通知する。また、所要通信レート認識部２３は、受付要求メッセージを受信した旨を使用リソース量観測部２４へ通知する。
【００９１】
使用リソース量観測部２４は、この通知を受けると、他の定量保証サービスに対応するアプリケーションに割り当てられた無線リソースのうち、実際に使用されている無線リソース量の所定期間内におけるピーク量（使用無線リソースピーク量）を観測する。観測された使用無線リソースピーク量は、受付可能通信レート算出部２６へ送られる。受付可能通信レート算出部２６は、全無線リソース量から使用無線リソースピーク量を差し引くことにより、新規アプリケーションに対して割当可能な無線リソース量を算出する。更に、受付可能通信レート算出部２６は、新規アプリケーションに対して割当可能な無線リソース量に基づいて、移動局１０と基地局２０との間の伝搬品質が最も低い場合に受付可能な通信レート（受付可能通信レート）を算出する。算出された受付可能通信レートは、受付判断部２７へ送られる。
【００９２】
受付判断部２７は、受付可能通信レート算出部２６から送られた受付可能通信レートと、所要通信レート認識部２３から送られた１つの所要通信レートとを比較する。そして、１つの所要通信レートが受付可能通信レート以下である場合には、受付判断部２７は、新規アプリケーションに対応するサービス要求を受け付け、当該新規アプリケーションに対し、移動局１０と基地局２０との間の伝搬品質が最も低い場合でも１つの所要通信レートで通信を行うことが可能な量の無線リソースを割り当てる。更に、受付判断部２７は、送信部２１を介して、移動局１０に対し、受付認容であることを示す受付制御結果を送信する。
【００９３】
一方、１つの所要通信レートが受付可能通信レートより大きい場合には、受付判断部２７は、新規アプリケーションに対応するサービス要求を受け付けず、送信部２１を介して、移動局１０に対し、受付拒否であることを示す受付制御結果とともに、受付可能通信レートを送信する。
【００９４】
移動局１０内の受信部１２は、基地局２０からの受付可能通信レートを受信すると、当該受付可能通信レートを変更判断部１５へ送る。変更判断部１５は、受付可能通信レートに応じて、所要通信レートを変更したり、要求するサービスを定量保証サービスから相対保証サービスに変更する。
【００９５】
図９は、第１実施例における下り方向のデータ伝送時の移動局及び基地局の動作の具体例を示す図である。同図において、無線リソースは１フレームが１０スロットにより構成される。また、使用無線リソースピーク量に乗ずる比率αは１であるものとする。更に、移動局１０と基地局２０との間の伝搬品質が最も低い場合に、当該移動局１０における通信において採用すべき変調・コーディング方式はＱＰＳＫ１／２であり、このＱＰＳＫ１／２に対応する１スロットあたりの伝送レートは２．２Ｍｂｐｓであるものとする。
【００９６】
アプリケーションＡ、Ｂ、Ｃによって実際に使用されている無線リソースのピーク量（使用無線リソースピーク量）が４スロットである状態において、移動局１０は、新規アプリケーションＤを生起し、その新規アプリケーションに対応する所要通信レートとして１０Ｍｂｐｓを基地局２０へ通知する。基地局２０は、全無線リソース量である１０スロットから使用無線リソースピーク量である４スロットを差し引いた６スロットを新規アプリケーションＤに割当可能な無線リソース量として算出する。更に、基地局２０は、この６スロットに、移動局１０と基地局２０との間の伝搬品質が最も低い場合における１スロットあたりの伝送レート２．２Ｍｂｐｓを乗じた１３．２Ｍｂｐｓを、伝搬品質が最も低い場合に受付可能な通信レートとして算出する。この受付可能通信レート１３．２Ｍｂｐｓは、所要通信レート１０Ｍｂｐｓよりも大きい。従って、基地局２０は、新規アプリケーションＤに対応するサービス要求を受け付け、当該新規アプリケーションＤに対して、移動局１０と基地局２０との間の伝搬品質が最も低い場合でも所要通信レート１０Ｍｂｐｓで通信を行うことが可能な量の無線リソース（ここでは５スロット）を割り当てる。
【００９７】
その後、アプリケーションＡ、Ｂ、Ｃ、Ｄによって実際に使用されている無線リソースのピーク量（使用無線リソースピーク量）が５スロットである状態において、移動局１０は、新規アプリケーションＥを生起し、その新規アプリケーションに対応する所要通信レートとして２０Ｍｂｐｓを基地局２０へ通知する。基地局２０は、全無線リソース量である１０スロットから使用無線リソースピーク量である５スロットを差し引いた５スロットを新規アプリケーションＥに割当可能な無線リソース量として算出する。更に、基地局２０は、この５スロットに、移動局１０と基地局２０との間の伝搬品質が最も低い場合における１スロットあたりの伝送レート２．２Ｍｂｐｓを乗じた１１．０Ｍｂｐｓを、伝搬品質が最も低い場合に受付可能な通信レートとして算出する。この受付可能通信レート１１．０Ｍｂｐｓは、所要通信レート２０Ｍｂｐｓよりも小さい。従って、基地局２０は、新規アプリケーションＥに対応するサービス要求を受け付けず、移動局１０へ受付可能通信レート１１Ｍｂｐｓを通知する。移動局１０は、受付可能通信レート１１Ｍｂｐｓ以下の新たな所要通信レート（ここでは１０Ｍｂｐｓ）を基地局２０へ通知する。
【００９８】
図１０は、第１実施例における上り方向のデータ伝送時の移動局及び基地局の動作の具体例を示す図である。同図において、無線リソースは１フレームが１０スロットにより構成され、更にコード１〜４によって４多重されている。また、図９と同様、使用無線リソースピーク量に乗ずる比率αは１であるものとする。更に、移動局１０と基地局２０との間の伝搬品質が最も低い場合に、当該移動局１０における通信において採用すべき変調・コーディング方式はＱＰＳＫ１／２であり、このＱＰＳＫ１／２に対応する１スロットあたりの伝送レートは５５０ｋｂｐｓであるものとする。
【００９９】
アプリケーションＡ、Ｂ、Ｃによって実際に使用されている無線リソースのピーク量（使用無線リソースピーク量）が１６スロットである状態において、移動局１０は、新規アプリケーションＤを生起し、その新規アプリケーションに対応する所要通信レートとして１０Ｍｂｐｓを基地局２０へ通知する。基地局２０は、全無線リソース量である４０スロットから使用無線リソースピーク量である１６スロットを差し引いた２４スロットを新規アプリケーションに割当可能な無線リソース量として算出する。更に、基地局２０は、この２４スロットに、移動局１０と基地局２０との間の伝搬品質が最も低い場合における１スロットあたりの伝送レート５５０ｋｂｐｓを乗じた１３．２Ｍｂｐｓを、伝搬品質が最も低い場合に受付可能な通信レートとして算出する。この受付可能通信レート１３．２Ｍｂｐｓは、所要通信レート１０Ｍｂｐｓよりも大きい。従って、基地局２０は、新規アプリケーションＤに対応するサービス要求を受け付け、当該新規アプリケーションＤに対して、移動局１０と基地局２０との間の伝搬品質が最も低い場合でも所要通信レート１０Ｍｂｐｓで通信を行うことが可能な量の無線リソース（ここでは１９スロット）を割り当てる。
【０１００】
その後、アプリケーションＡ、Ｂ、Ｃ、Ｄによって実際に使用されている無線リソースのピーク量（使用無線リソースピーク量）が２０スロットである状態において、移動局１０は、新規アプリケーションＥを生起し、その新規アプリケーションに対応する所要通信レートとして２０Ｍｂｐｓを基地局２０へ通知する。基地局２０は、全無線リソース量である４０スロットから使用無線リソースピーク量である２０スロットを差し引いた２０スロットを新規アプリケーションに割当可能な無線リソース量として算出する。更に、基地局２０は、この２０スロットに、移動局１０と基地局２０との間の伝搬品質が最も低い場合における１スロットあたりの伝送レート５５０ｋｂｐｓを乗じた１１．０Ｍｂｐｓを、伝搬品質が最も低い場合に受付可能な通信レートとして算出する。この受付可能通信レート１１．０Ｍｂｐｓは、所要通信レート２０Ｍｂｐｓよりも小さい。従って、基地局２０は、新規アプリケーションＥに対応するサービス要求を受け付けず、移動局１０へ受付可能通信レート１１Ｍｂｐｓを通知する。移動局１０は、受付可能通信レート１１Ｍｂｐｓ以下の新たな所要通信レート（ここでは１０Ｍｂｐｓ）を基地局２０へ通知する。
【０１０１】
図１１は、第１実施例における基地局の動作を示すフローチャートである。基地局２０は、移動局１０が新規アプリケーションの生起に応じて所要通信レートを通知すると、使用無線リソースピーク量Ａを観測し（ステップ５０１）、この使用無線リソースピーク量Ａに所定の比率αを乗じた値Ａ×αを算出する（ステップ５０２）。
【０１０２】
次に、基地局２０は、全無線リソース量から上述のＡ×αを差し引くことにより、割当可能な無線リソース量Ｂを算出する（ステップ５０３）。更に、基地局２０は、割当可能な無線リソース量Ｂに基づいて、移動局１０と基地局２０との間の伝搬品質が最も低い場合における受付可能な通信レートＡＣ＿ａｖａｉｌを算出する（ステップ５０４）。
【０１０３】
更に、基地局２０は、新規アプリケーションに対応する所要通信レートＱｏＳ＿ｒｑが受付可能通信レートＡＣ＿ａｖａｉｌ以下であるか否かを判定する（ステップ５０５）。所要通信レートＱｏＳ＿ｒｑが受付可能通信レートＡＣ＿ａｖａｉｌ以下である場合には、基地局２０は、新規アプリケーションに対応するサービス要求を受け付け、移動局１０と基地局２０との間の伝搬品質が最も低い場合に所要通信レートＱｏＳ＿ｒｑでの通信が可能となるように、新規アプリケーションに対して無線リソースを割り当て、受付認容の受付制御結果を移動局１０へ送信する（ステップ５０６）。一方、所要通信レートＱｏＳ＿ｒｑが受付可能通信レートＡＣ＿ａｖａｉｌより大きい場合には、基地局２０は、新規アプリケーションに対応するサービス要求を受け付けず、移動局１０へ受付拒否の受付制御結果とともに、受付可能通信レートＡＣ＿ａｖａｉｌを通知する（ステップ５０７）。
【０１０４】
図１２は、第１実施例における移動局の動作を示すフローチャートである。移動局１０は、新規アプリケーションの生起に応じて定量保証サービスを要求する場合、基地局２０へ所要通信レートＱｏＳ＿ｒｑを通知する（ステップ６０１）。
【０１０５】
その後、移動局１０は、基地局２０からの受付制御結果を受信したか否かを判定する（ステップ６０２）。受付制御結果を受信した場合、移動局１０は、その受付制御結果の内容が受付認容であるか否かを判定する（ステップ６０３）。受付認容である場合、移動局１０は、新規アプリケーションに割り当てられた無線リソースを用いた通信を開始する（ステップ６０４）。
【０１０６】
一方、受付制御結果の内容が受付拒否である場合、移動局１０は、その受付制御結果とともに送られてきた受付可能通信レートＡＣ＿ａｖａｉｌを確認し（ステップ６０５）、新規アプリケーションに必要な最小の通信レートが受付可能通信レートＡＣ＿ａｖａｉｌ以下であるか否かを判定する（ステップ６０６）。新規アプリケーションに必要な最小の通信レートが受付可能通信レートＡＣ＿ａｖａｉｌ以下である場合には、移動局１０は、所要通信レートＱｏＳ＿ｒｑを変更する（ステップ６０７）。一方、新規アプリケーションに必要な最小の通信レートが受付可能通信レートＡＣ＿ａｖａｉｌより大きい場合には、移動局１０は、要求するサービスを相対保証型サービスに変更したり、再度、定量保証サービスを要求する（ステップ６０８）。
（第２実施例）
第２実施例における移動局及び基地局の構成は、図８に示す第１実施例における構成と同様である。但し、移動局１０内の所要通信レート設定部１３は、定量保証サービスを要求する場合、最大及び最小の所要通信レートを設定する。
【０１０７】
また、基地局２０内の受付判断部２７は、受付可能通信レートと、最大及び最小の所要通信レートとを比較し、最大の所要通信レートが受付可能通信レート以下である場合には、受付判断部２７は、新規アプリケーションに対し、移動局１０と基地局２０との間の伝搬品質が最も低い場合でも最大の所要通信レートで通信を行うことが可能な量の無線リソースを割り当てる。受付可能通信レートが最大及び最小の所要通信レートの範囲内にある場合には、受付制御部２７は、新規アプリケーションに対応するサービス要求を受け付け、当該新規アプリケーションに対し、移動局１０と基地局２０との間の伝搬品質が最も低い場合でも受付可能通信レートで通信を行うことが可能な量の無線リソースを割り当てる。一方、最小の所要通信レートが受付可能通信レートより大きい場合には、受付判断部２７は、送信部２１を介して、移動局１０に対し、受付拒否であることを示す受付制御結果を送信する。
【０１０８】
図１３は、第２実施例における基地局の動作を示すフローチャートである。ステップ７０１〜７０４の動作は、第１実施例における図１１に示すステップ５０１〜５０４の動作と同様である。
【０１０９】
ステップ７０４における、移動局１０と基地局２０との間の伝搬品質が最も低い場合における受付可能な通信レートＡＣ＿ａｖａｉｌの算出の後、基地局２０は、新規アプリケーションに対応する最大の所要通信レートＱｏＳ＿ｒｑｍａｘが受付可能通信レートＡＣ＿ａｖａｉｌ以下であるか否かを判定する（ステップ７０５）。最大の所要通信レートＱｏＳ＿ｒｑｍａｘが受付可能通信レートＡＣ＿ａｖａｉｌ以下である場合には、基地局２０は、新規アプリケーションに対応するサービス要求を受け付け、移動局１０と基地局２０との間の伝搬品質が最も低い場合に最大の所要通信レートＱｏＳ＿ｒｑｍａｘでの通信が可能となるように、新規アプリケーションに対して無線リソースを割り当て、受付認容の受付制御結果を移動局１０へ送信する（ステップ７０６）。
【０１１０】
一方、最大の所要通信レートＱｏＳ＿ｒｑｍａｘが受付可能通信レートＡＣ＿ａｖａｉｌより大きい場合には、基地局２０は、受付可能通信レートＡＣ＿ａｖａｉｌが最大の所要通信レートＱｏＳ＿ｒｑｍａｘと最小の所要通信レートＱｏＳ＿ｒｑｍｉｎの範囲内にあるか否かを判定する（ステップ７０７）。
【０１１１】
受付可能通信レートＡＣ＿ａｖａｉｌが最大の所要通信レートＱｏＳ＿ｒｑｍａｘと最小の所要通信レートＱｏＳ＿ｒｑｍｉｎの範囲内にない場合には、基地局２０は、新規アプリケーションに対応するサービス要求を受け付けず、その旨の受付制御結果を移動局１０へ送信する（ステップ７０８）。一方、受付可能通信レートＡＣ＿ａｖａｉｌが最大の所要通信レートＱｏＳ＿ｒｑｍａｘと最小の所要通信レートＱｏＳ＿ｒｑｍｉｎの範囲内にある場合には、基地局２０は、新規アプリケーションに対応するサービス要求を受け付け、移動局１０と基地局２０との間の伝搬品質が最も低い場合に受付可能通信レートＡＣ＿ａｖａｉｌでの通信が可能となるように、新規アプリケーションに対して無線リソースを割り当て、受付認容の受付制御結果を移動局１０へ送信する（ステップ７０９）。
【０１１２】
図１４は、第２実施例における移動局の動作を示すフローチャートである。移動局１０は、新規アプリケーションの生起に応じて定量保証サービスを要求する場合、基地局２０へ最大の所要通信レートＱｏＳ＿ｒｑｍａｘと最小の所要通信レートＱｏＳ＿ｒｑｍｉｎとを通知する（ステップ８０１）。
【０１１３】
その後、移動局１０は、基地局２０からの受付制御結果を受信したか否かを判定する（ステップ８０２）。受付制御結果を受信した場合、移動局１０は、その受付制御結果の内容が受付認容であるか否かを判定する（ステップ８０３）。受付認容である場合、移動局１０は、新規アプリケーションに割り当てられた無線リソースを用いた通信を開始する（ステップ８０４）。
【０１１４】
一方、受付制御結果の内容が受付拒否である場合、移動局１０は、要求するサービスを相対保証型サービスに変更したり、再度、定量保証サービスを要求する（ステップ８０５）。
（第３実施例）
図１５は、第３実施例における移動局及び基地局の構成例を示す図である。同図において、基地局２０は、図８に示す第１実施例における基地局２０と比較すると、使用リソース量観測部２４の代わりに、割当リソース量記憶部２８が備えられている。
【０１１５】
この割当リソース量記憶部２８は、他の定量保証サービスに対応するアプリケーションが生起されている移動局１０又は他の移動局と基地局２０との間の伝搬品質が最も低い場合に応じて、当該他の定量保証サービスに対応するアプリケーションに割り当てられた無線リソース量（以下、「割当済み無線リソース量」と称する）を記憶する。そして、割当リソース量記憶部２８は、所要通信レート認識部２３から受付要求メッセージを受信した旨が通知されると、受付可能通信レート算出部２６へ割当済み無線リソース量を送る。
【０１１６】
受付可能通信レート算出部２６は、全無線リソース量から割当済み無線リソース量を差し引くことにより、新規アプリケーションに対して割当可能な無線リソース量を算出する。更に、受付可能通信レート算出部２６は、新規アプリケーションに対して割当可能な無線リソース量に基づいて、移動局１０と基地局２０との間の伝搬品質が最も低い場合に受付可能な通信レート（受付可能通信レート）を算出する。これら割当リソース量記憶部２８及び受付可能通信レート算出部２６以外の処理は、第１実施例の場合と同様である。
【０１１７】
図１６は、第３実施例における下り方向のデータ伝送時の移動局及び基地局の動作の具体例を示す図である。同図において、無線リソースは１フレームが１０スロットにより構成される。また、割当済み無線リソース量に乗ずる比率βは１であるものとする。更に、移動局１０と基地局２０との間の伝搬品質が最も低い場合に、当該移動局１０における通信において採用すべき変調・コーディング方式はＱＰＳＫ１／２であり、このＱＰＳＫ１／２に対応する１スロットあたりの伝送レートは２．２Ｍｂｐｓであるものとする。
【０１１８】
アプリケーションＡ、Ｂ、Ｃに割り当てられている無線リソース量（割当済み無線リソース量）が８スロットである状態において、移動局１０は、新規アプリケーションＤを生起し、その新規アプリケーションに対応する所要通信レートとして１０Ｍｂｐｓを基地局２０へ通知する。基地局２０は、全無線リソース量である１０スロットから割当済み無線リソース量である８スロットを差し引いた２スロットを新規アプリケーションＤに割当可能な無線リソース量として算出する。更に、基地局２０は、この２スロットに、移動局１０と基地局２０との間の伝搬品質が最も低い場合における１スロットあたりの伝送レート２．２Ｍｂｐｓを乗じた４．４Ｍｂｐｓを、伝搬品質が最も低い場合に受付可能な通信レートとして算出する。この受付可能通信レート４．４Ｍｂｐｓは、所要通信レート１０Ｍｂｐｓよりも小さい。従って、基地局２０は、新規アプリケーションＤに対応するサービス要求を受け付けず、移動局１０へ受付可能通信レート４．４Ｍｂｐｓを通知する。移動局１０は、受付可能通信レート４．４Ｍｂｐｓ以下の新たな所要通信レート（ここでは４Ｍｂｐｓ）を基地局２０へ通知する。基地局２０は、この新たな所要通信レート４Ｍｂｐｓに応じて、新規アプリケーションＤに対応するサービス要求を受け付け、当該新規アプリケーションＤに対し、移動局１０と基地局２０との間の伝搬品質が最も低い場合でも所要通信レート４Ｍｂｐｓで通信を行うことが可能な量の無線リソース（ここでは２スロット）を割り当てる。
【０１１９】
その後、アプリケーションＡ、Ｂ、Ｃ、Ｄにに割り当てられている無線リソース量（割当済み無線リソース量）が８スロットである状態において、移動局１０は、新規アプリケーションＥを生起し、その新規アプリケーションに対応する所要通信レートとして２０Ｍｂｐｓを基地局２０へ通知する。基地局２０は、全無線リソース量である１０スロットから割当済み無線リソース量である１０スロットを差し引く。但し、この差し引いた値は０スロットである。従って、基地局２０は、新規アプリケーションＥに対応するサービス要求を受け付けない。
【０１２０】
図１７は、第３実施例における上り方向のデータ伝送時の移動局及び基地局の動作の具体例を示す図である。同図において、無線リソースは１フレームが１０スロットにより構成され、更にコード１〜４によって４多重されている。また、図１６と同様、割当済み無線リソース量に乗ずる比率βは１であるものとする。更に、移動局１０と基地局２０との間の伝搬品質が最も低い場合に、当該移動局１０における通信において採用すべき変調・コーディング方式はＱＰＳＫ１／２であり、このＱＰＳＫ１／２に対応する１スロットあたりの伝送レートは５５０ｋｂｐｓであるものとする。
【０１２１】
アプリケーションＡ、Ｂ、Ｃに割り当てられている無線リソース量（割当済み無線リソース量）が３２スロットである状態において、移動局１０は、新規アプリケーションＤを生起し、その新規アプリケーションに対応する所要通信レートとして１０Ｍｂｐｓを基地局２０へ通知する。基地局２０は、全無線リソース量である４０スロットから割当済み無線リソース量である３２スロットを差し引いた８スロットを新規アプリケーションＤに割当可能な無線リソース量として算出する。更に、基地局２０は、この８スロットに、移動局１０と基地局２０との間の伝搬品質が最も低い場合における１スロットあたりの伝送レート５５０ｋｂｐｓを乗じた４．４Ｍｂｐｓを、伝搬品質が最も低い場合に受付可能な通信レートとして算出する。この受付可能通信レート４．４Ｍｂｐｓは、所要通信レート１０Ｍｂｐｓよりも小さい。従って、基地局２０は、新規アプリケーションＤに対応するサービス要求を受け付けず、移動局１０へ受付可能通信レート４．４Ｍｂｐｓを通知する。移動局１０は、受付可能通信レート４．４Ｍｂｐｓ以下の新たな所要通信レート（ここでは４Ｍｂｐｓ）を基地局２０へ通知する。基地局２０は、この新たな所要通信レート４Ｍｂｐｓに応じて、新規アプリケーションＤに対応するサービス要求を受け付け、当該新規アプリケーションＤに対し、移動局１０と基地局２０との間の伝搬品質が最も低い場合でも所要通信レート４Ｍｂｐｓで通信を行うことが可能な量の無線リソース（ここでは８スロット）を割り当てる。
【０１２２】
その後、アプリケーションＡ、Ｂ、Ｃ、Ｄにに割り当てられている無線リソース量（割当済み無線リソース量）が４０スロットである状態において、移動局１０は、新規アプリケーションＥを生起し、その新規アプリケーションに対応する所要通信レートとして２０Ｍｂｐｓを基地局２０へ通知する。基地局２０は、全無線リソース量である４０スロットから割当済み無線リソース量である４０スロットを差し引く。但し、この差し引いた値は０スロットである。従って、基地局２０は、新規アプリケーションＥに対応するサービス要求を受け付けない。
【０１２３】
図１８は、第３実施例における基地局の動作を示すフローチャートである。基地局２０は、移動局１０が新規アプリケーションの生起に応じて所要通信レートを通知すると、割当済み無線リソース量Ｄを認識し（ステップ９０１）、この割当済み無線リソース量Ｄに所定の比率βを乗じた値Ｄ×βを算出する（ステップ９０２）。
【０１２４】
次に、基地局２０は、全無線リソース量から上述のＤ×βを差し引くことにより、割当可能な無線リソース量Ｂを算出する（ステップ９０３）。以降、ステップ９０４〜９０７の動作は、第１実施例における図１１に示すフローチャートのステップ５０４〜５０７の動作と同様であるので、その説明は省略する。また、第３実施例における移動局の動作は、第１実施例における図１２に示すフローチャートの動作と同様であるので、その説明は省略する。
（第４実施例）
第４実施例における移動局及び基地局の構成は、図１５に示す第３実施例における構成と同様である。但し、移動局１０内の所要通信レート設定部１３は、定量保証サービスを要求する場合、最大及び最小の所要通信レートを設定する。
【０１２５】
また、基地局２０内の受付判断部２７は、受付可能通信レートと、最大及び最小の所要通信レートとを比較し、最大の所要通信レートが受付可能通信レート以下である場合には、受付判断部２７は、新規アプリケーションに対し、移動局１０と基地局２０との間の伝搬品質が最も低い場合でも最大の所要通信レートで通信を行うことが可能な量の無線リソースを割り当てる。受付可能通信レートが最大及び最小の所要通信レートの範囲内にある場合には、受付制御部２７は、新規アプリケーションに対応するサービス要求を受け付け、当該新規アプリケーションに対し、移動局１０と基地局２０との間の伝搬品質が最も低い場合でも受付可能通信レートで通信を行うことが可能な量の無線リソースを割り当てる。更に、受付判断部２７は、送信部２１を介して、移動局１０に対し、受付認容であることを示す受付制御結果を送信する。一方、最小の所要通信レートが受付可能通信レートより大きい場合には、受付判断部２７は、新規アプリケーションに対応するサービス要求を受け付けず、送信部２１を介して、移動局１０に対し、受付拒否であることを示す受付制御結果を送信する。
【０１２６】
図１９は、第４実施例における基地局の動作を示すフローチャートである。基地局２０は、移動局１０が新規アプリケーションの生起に応じて最大及び最小の所要通信レートを通知すると、割当済み無線リソース量Ｄを認識し（ステップ１００１）、この割当済み無線リソース量Ｄに所定の比率βを乗じた値Ｄ×βを算出する（ステップ１００２）。
【０１２７】
次に、基地局２０は、全無線リソース量から上述のＤ×βを差し引くことにより、割当可能な無線リソース量Ｂを算出する（ステップ１００３）。以降、ステップ１００４〜１００９の動作は、第２実施例における図１３に示すフローチャートのステップ７０４〜７０９の動作と同様であるので、その説明は省略する。また、第４実施例における移動局の動作は、第２実施例における図１４に示すフローチャートの動作と同様であるので、その説明は省略する。
【０１２８】
ところで、上述した実施形態では、無線リソースは、フレーム構成が採用されていたが、フレーム構成が採用されていない場合にも、本発明を適用することが可能である。フレーム構成が採用されない場合、無線リソースの構成要素は、通信レートとなる。以下、無線リソースにフレーム構成が採用されていない場合における第５実施例乃至第８実施例について説明する。
（第５実施例）
第５実施例は、移動局１０が１つの所要通信レートのみを基地局２０へ送信し、基地局２０が他の定量保証サービスに対応するアプリケーションによる無線リソースの占有率を受付可能な通信レートの算出に用いる例である。この第５実施例における移動局及び基地局の構成は、図８に示す第１実施例における構成と同様である。
【０１２９】
使用無線リソース量観測部２４は、基地局２０が提供可能な全通信レートに対する無線リソース（スロット・コード）の占有率を観測する。受付可能通信レート算出部２６は、この占有率を１から差し引き、更に提供可能な全通信レートを乗じて、受付可能通信レートを算出する。これら使用リソース量観測部２４及び受付可能通信レート算出部２６以外の処理は、第１実施例の場合と同様である。
【０１３０】
図２０は、第５実施例における基地局の動作を示すフローチャートである。基地局２０は、移動局１０が新規アプリケーションの生起に応じて所要通信レートを通知すると、リソース占有率Ａを観測し（ステップ１１０１）、このリソース占有率Ａに所定の比率αを乗じた値Ａ×αを算出する（ステップ１１０２）。
【０１３１】
次に、基地局２０は、提供可能な全通信レートＢａｃからＢａｃ×Ａ×αを差し引くことにより、移動局１０と基地局２０との間の伝搬品質が最も低い場合における受付可能な通信レートＡＣ＿ａｖａｉｌを算出する（ステップ１１０３）。
【０１３２】
以降、ステップ１１０４〜１１０６の動作は、第１実施例における図１１に示すフローチャートのステップ５０５〜５０７の動作と同様であるので、その説明は省略する。また、第５実施例における移動局の動作は、第１実施例における図１４に示すフローチャートの動作と同様であるので、その説明は省略する。
（第６実施例）
第６実施例は、移動局１０が最大及び最小の所要通信レートを基地局２０へ送信し、基地局２０が他の定量保証サービスに対応するアプリケーションによる無線リソースの占有率を受付可能な通信レートの算出に用いる例である。この第６実施例における移動局及び基地局の構成は、第５実施例における構成と同様である。但し、移動局１０内の所要通信レート設定部１３は、定量保証サービスを要求する場合、最大及び最小の所要通信レートを設定する。
【０１３３】
また、基地局２０内の受付判断部２７は、受付可能通信レートと、最大及び最小の所要通信レートとを比較し、最大の所要通信レートが受付可能通信レート以下である場合には、受付判断部２７は、新規アプリケーションに対し、移動局１０と基地局２０との間の伝搬品質が最も低い場合でも最大の所要通信レートで通信を行うことが可能な量の通信レートを割り当てる。また、受付可能通信レートが最大及び最小の所要通信レートの範囲内にある場合には、受付制御部２７は、新規アプリケーションに対応するサービス要求を受け付け、当該新規アプリケーションに対し、移動局１０と基地局２０との間の伝搬品質が最も低い場合でも受付可能通信レートで通信を行うことが可能な量の通信レートを割り当てる。一方、最小の所要通信レートが受付可能通信レートより大きい場合には、受付判断部２７は、送信部２１を介して、移動局１０に対し、受付拒否であることを示す受付制御結果を送信する。
【０１３４】
図２１は、第６実施例における基地局の動作を示すフローチャートである。ステップ１２０１〜１２０３の動作は、第５実施例における図２０に示すステップ１１０１〜１１０３の動作と同様であり、ステップ１２０４〜１２０８の動作は、第２実施例における図１３に示すフローチャートのステップ７０５〜７０９の動作と同様であるので、その説明は省略する。また、第６実施例における移動局の動作は、第２実施例における図１４に示すフローチャートの動作と同様であるので、その説明は省略する。
（第７実施例）
第７実施例は、移動局１０が１つの所要通信レートのみを基地局２０へ送信し、基地局２０が他の定量保証サービスに対応するアプリケーションに割り当てられた通信レートを受付可能な通信レートの算出に用いる例である。この第７実施例における移動局及び基地局の構成は、図１５に示す第３実施例における構成と同様である。
【０１３５】
但し、割当リソース量記憶部２８は、他の定量保証サービスに対応するアプリケーションが生起されている移動局１０又は他の移動局と基地局２０との間の伝搬品質が最も低い場合に応じて、当該他の定量保証サービスに対応するアプリケーションに割り当てられた通信レート（以下、「受付レート」と称する）の総和を記憶する。そして、割当リソース量記憶部２８は、所要通信レート認識部２３から受付要求メッセージを受信した旨が通知されると、受付可能通信レート算出部２６へ受付レートを送る。
【０１３６】
受付可能通信レート算出部２６は、提供可能な全通信レートから受付レートを差し引く。提供可能な全通信レートとは、第５実施例と同様、伝搬品質が最も低い場合に応じ、通信レートが最も小さくなる変調・コーディング方式（例えばＱＰＳＫ１／２）が採用された場合において、基地局２０が提供可能な通信レートの総和である。これにより、移動局１０と基地局２０との間の伝搬品質が最も低い場合に受付可能な通信レート（受付可能通信レート）が算出される。なお、受付可能通信レート算出部２６は、受付レートに所定の比率βを乗じた値を、提供可能な全通信レートから差し引くようにしても良い。
【０１３７】
あるいは、使用無線リソース量観測部２４は、基地局２０が提供可能な全通信レートに対する受付レートの占有率を算出する。受付可能通信レート算出部２６は、この占有率を１から差し引き、更に提供可能な全通信レートを乗じて、受付可能通信レートを算出する。これら使用リソース量観測部２４及び受付可能通信レート算出部２６以外の処理は、第３実施例の場合と同様である。
【０１３８】
図２２は、第７実施例における基地局の動作を示すフローチャートである。基地局２０は、移動局１０が新規アプリケーションの生起に応じて所要通信レートを通知すると、受付レートＤを観測し（ステップ１３０１）、この受付レートＤに所定の比率βを乗じた値Ｄ×βを算出する（ステップ１３０２）。
【０１３９】
次に、基地局２０は、提供可能な全通信レートから値Ｄ×βを差し引くことにより、移動局１０と基地局２０との間の伝搬品質が最も低い場合における受付可能な通信レートＡＣ＿ａｖａｉｌを算出する（ステップ１３０３）。
【０１４０】
以降、ステップ１３０４〜１３０６の動作は、第１実施例における図１１に示すフローチャートのステップ５０５〜５０７の動作と同様であるので、その説明は省略する。また、第７実施例における移動局の動作は、第１実施例における図１４に示すフローチャートの動作と同様であるので、その説明は省略する。
（第８実施例）
第８実施例は、移動局１０が最大及び最小の所要通信レートを基地局２０へ送信し、基地局２０が他の定量保証サービスに対応するアプリケーションに割り当てられた通信レートを受付可能な通信レートの算出に用いる例である。この第７実施例における移動局及び基地局の構成は、第７実施例における構成と同様である。但し、移動局１０内の所要通信レート設定部１３は、定量保証サービスを要求する場合、最大及び最小の所要通信レートを設定する。
【０１４１】
また、基地局２０内の受付判断部２７は、受付可能通信レートと、最大及び最小の所要通信レートとを比較し、最大の所要通信レートが受付可能通信レート以下である場合には、受付判断部２７は、新規アプリケーションに対し、移動局１０と基地局２０との間の伝搬品質が最も低い場合でも最大の所要通信レートで通信を行うことが可能な量の通信レートを割り当てる。また、受付可能通信レートが最大及び最小の所要通信レートの範囲内にある場合には、受付制御部２７は、新規アプリケーションに対応するサービス要求を受け付け、当該新規アプリケーションに対し、移動局１０と基地局２０との間の伝搬品質が最も低い場合でも受付可能通信レートで通信を行うことが可能な量の通信レートを割り当てる。一方、最小の所要通信レートが受付可能通信レートより大きい場合には、受付判断部２７は、送信部２１を介して、移動局１０に対し、受付拒否であることを示す受付制御結果を送信する。
【０１４２】
図２３は、第８実施例における基地局の動作を示すフローチャートである。ステップ１４０１〜１４０３の動作は、第７実施例における図２２に示すステップ１３０１〜１３０３の動作と同様であり、ステップ１４０４〜１４０８の動作は、第２実施例における図１３に示すフローチャートのステップ７０５〜７０９の動作と同様であるので、その説明は省略する。また、第８実施例における移動局の動作は、第２実施例における図１４に示すフローチャートの動作と同様であるので、その説明は省略する。
【０１４３】
このように、本実施形態の移動通信システム１００では、基地局２０は、移動局１０との間の伝搬品質が最も低い場合、例えば移動局１０が基地局２０によって構成されるセルの外縁部に存在する場合を想定して受付可能な通信レートを算出し、移動局１０において生起される新規アプリケーションが必要とする通信レートが、受付可能な通信レート以下である場合に、新規アプリケーションに対応するサービス要求を受け付け、当該新規アプリケーションに対して無線リソースを割り当てる。このため、伝搬品質が低下した場合においても、移動局１０は通信の維持が可能になる。即ち、伝搬品質の変動に関わらず適切な無線リソースの割り当てが可能となる。
【０１４４】
また、移動局が通信を開始した後において、例えば伝送データ量が少ないような場合には、割り当てられたにもかかわらず、使用されない無線リソースが存在する可能性があることに鑑み、基地局２０は、提供可能な全無線リソース量から実際に使用されている無線リソース量を差し引いて割り当て可能な無線リソース量を算出する。これにより、他の定量保証サービスに対応するアプリケーションに割り当てられた無線リソースのうち使用されていない無線リソースについては、新規アプリケーションに割り当て可能な無線リソースとして扱われ、無線リソースの効率的な使用が可能となる。
【０１４５】
また、他の定量保証サービスに対応するアプリケーションが使用する可能性がある無線リソース量の最大値は、伝搬品質が最も低い場合に応じて割り当てられた無線リソース量であることに鑑み、基地局２０が、提供可能な全無線リソース量から、他の定量保証サービスに対応するアプリケーションが生起される移動局との間の伝搬品質が最も低い場合に応じて割り当てられた無線リソース量を差し引いた値を算出する。これにより、基地局２０は、新規アプリケーションへ確実に割り当てることが可能な無線リソース量を算出することができる。
【０１４６】
また、基地局２０は、新規のアプリケーションが必要とする通信レートが受付可能な通信レートより大きい場合に、その受付可能な通信レートを移動局１０へ通知することにより、移動局１０が所要通信レートやサービスを適切に変更して通信を行うことができる。また、基地局２０は、新規のアプリケーションが必要とする通信レートが所定の幅を有する場合にも、適切にサービスの要求を受け付けることができる。
【０１４７】
また、基地局２０は、相対保証サービスに対応するアプリケーションが実際に使用している無線リソースや、相対保証サービスに対応するアプリケーションに割り当てた無線リソースについては、定量保証サービスに対応する新規アプリケーションに割当可能な無線リソースとして扱う。従って、基地局２０は、定量保証サービスに対応するアプリケーションに対し、相対保証型サービスに対応するアプリケーションに優先して無線リソースを割り当てることができ、できるだけ多くの定量保証サービスを提供することが可能となる。
【０１４８】
なお、上述した実施形態では、サービス品質（ＱｏＳ）として通信レートが用いられる場合について説明したが、他のサービス品質、例えば、遅延時間やデータ誤り率等にも、本発明を適用することができる。
【０１４９】
また、上述した実施形態では、移動局１０がデータの送信元又は受信先となる場合について説明したが、移動局１０がアドホックやマルチホックにおける中継局としての役割を果たす場合にも、本発明を適用することができる。更に、本発明は、基地局以外の装置、例えば無線ネットワーク制御装置が受付制御装置として機能する場合においても適用することができる。
【０１５０】
更に、本発明は、移動局が、次世代移動通信のオールＩＰ化を実現した場合におけるモバイルホスト（Ｍｏｂｉｌｅ  Ｈｏｓｔ）に適用することができ、基地局がアクセスポイント（Ａｃｃｅｓｓ  Ｐｏｉｎｔ）に適用することができるのは言うまでもない。
【発明の効果】
上述の如く、本発明によれば、移動通信において、伝搬品質の変動に関わらず適切な無線リソースの割り当てが可能となる。
【図面の簡単な説明】
【図１】下り方向のデータ伝送における移動通信システムの概念図である。
【図２】受付要求メッセージのフォーマットを示す図である。
【図３】ＱｏＳ要求ビットと最大及び最小の所要通信レートの組み合わせとの対応の一例を示す図である。
【図４】ＣＱＩ、変調方式及び通信レートの対応関係を示すマッピングテーブルの一例を示す図である。
【図５】下り方向のデータ伝送における移動通信システムの動作の一例を示すシーケンス図である。
【図６】上り方向のデータ伝送における移動通信システムの概念図である。
【図７】上り方向のデータ伝送における移動通信システムの動作の一例を示すシーケンス図である。
【図８】第１実施例における移動局及び基地局の構成例を示す図である。
【図９】第１実施例における下り方向のデータ伝送時の移動局及び基地局の動作の具体例を示す図である。
【図１０】第１実施例における上り方向のデータ伝送時の移動局及び基地局の動作の具体例を示す図である。
【図１１】第１実施例における基地局の動作を示すフローチャートである。
【図１２】第１実施例における移動局の動作を示すフローチャートである。
【図１３】第２実施例における基地局の動作を示すフローチャートである。
【図１４】第２実施例における移動局の動作を示すフローチャートである。
【図１５】第３実施例における移動局及び基地局の構成例を示す図である。
【図１６】第３実施例における下り方向のデータ伝送時の移動局及び基地局の動作の具体例を示す図である。
【図１７】第３実施例における上り方向のデータ伝送時の移動局及び基地局の動作の具体例を示す図である。
【図１８】第３実施例における基地局の動作を示すフローチャートである。
【図１９】第４実施例における基地局の動作を示すフローチャートである。
【図２０】第５実施例における基地局の動作を示すフローチャートである。
【図２１】第６実施例における基地局の動作を示すフローチャートである。
【図２２】第７実施例における基地局の動作を示すフローチャートである。
【図２３】第８実施例における基地局の動作を示すフローチャートである。
【符号の説明】
１０  移動局
１１、２１  送信部
１２、２２  受信部
１３  所要通信レート設定部
１４  アプリケーション認識部
１５  変更判断部
２０  基地局
２３  所要通信レート認識部
２４  使用リソース量観測部
２６  受付可能通信レート算出部
２７  受付判断部
２８  割当リソース量記憶部
３０  対向ホスト
１００  移動通信システム
【図１】
2004172907.tif 000003
【図２】
2004172907.tif 000004
【図３】
2004172907.tif 000005
【図４】
2004172907.tif 000006
【図５】
2004172907.tif 000007
【図６】
2004172907.tif 000008
【図７】
2004172907.tif 000009
【図８】
2004172907.tif 000010
【図９】
2004172907.tif 000011
【図１０】
2004172907.tif 000012
【図１１】
2004172907.tif 000013
【図１２】
2004172907.tif 000014
【図１３】
2004172907.tif 000015
【図１４】
2004172907.tif 000016
【図１５】
2004172907.tif 000017
【図１６】
2004172907.tif 000018
【図１７】
2004172907.tif 000019
【図１８】
2004172907.tif 000020
【図１９】
2004172907.tif 000021
【図２０】
2004172907.tif 000022
【図２１】
2004172907.tif 000023
【図２２】
2004172907.tif 000024
【図２３】
2004172907.tif 000025